(57)【要約】【課題】  置き畳の種類や畳数などに迅速且つ簡便に対応して枠組みすることのできる縁枠の提供。【解決手段】  ボードや合成樹脂或いは木材などを使用し、肉厚寸法１０ｍｍ〜３０ｍｍ、巾寸法３ｃｍ〜５ｃｍ、長さ寸法７０ｃｍ〜１９０ｃｍとなした帯状のストレート部材を作成し、該ストレート部材の１つは長さ方向の底面部中央にガイド溝を穿設したものとなし、これに対し他のストレート部材は片端部に対し凡そ４ｃｍ程度残して上記ガイド溝の穿設されないものとなし、且つ該部の片側面に対し直交する状態に長さ寸法を凡そ１ｃｍ〜１２ｃｍ程度となした上記ガイド溝と嵌合可能ならしめる突設キーを取付けたものとなし、又別途上記ガイド溝に嵌入させる繋ぎキーを作成し、これらストレート部材と繋ぎキーとを適宜組合せ使用して必要な大きさ寸法の置き畳外周を取り囲むための方形枠を作成する。【選択図】      図１
0003105232.tif 000002
【実用新案登録請求の範囲】
【請求項１】
ボードや合成樹脂或いは木材などを使用し、肉厚寸法１０ｍｍ〜３０ｍｍ、巾寸法３ｃｍ〜５ｃｍ、長さ寸法７０ｃｍ〜１９０ｃｍとなした帯状のストレート部材を作成し、該ストレート部材の１つは長さ方向の底面部中央にガイド溝を穿設したものとなし、これに対し他のストレート部材は片端部に対し凡そ４ｃｍ程度残して上記ガイド溝の穿設されないものとなし、且つ該部の片側面に対し直交する状態に長さ寸法を凡そ１ｃｍ〜１２ｃｍ程度となした上記ガイド溝と嵌合可能ならしめる突設キーを取付けたものとなし、又別途上記ガイド溝に嵌入させる繋ぎキーを作成し、これらストレート部材と繋ぎキーとを適宜組合せ使用して必要な大きさ寸法の置き畳外周を取り囲むための方形枠を作成させるものとなしたことを特徴とする置き畳用縁枠。
【請求項２】
片端部に突設キーを取付けてなるストレート部材の長さ寸法は、少なくとも８０ｃｍ以上となしてあることを特徴とする請求項１記載の置き畳用縁枠。
【請求項３】
突設キーに柄体を取付け、且つ該突設キーと係合する他のストレート部材のガイド溝内に対し、上記柄体が嵌入する柄穴を穿設したものとなしたことを特徴とする請求項１又は２記載の置き畳用縁枠。
【考案の詳細な説明】
【技術分野】
【０００１】
本考案は専ら床板上の適当箇所へ、和式感覚に使用する置き畳みを取り囲むための置き畳用縁枠に関する。
【背景技術】
【０００２】
図７は従来品の実施状況を示すものであって、二帖、三帖、四帖、四帖半などに応じ、相当長さ寸法の木片材１０，１０，・・・を縦、横方向に用意し、これで置き畳みを取り囲んだのち、その隅角部ｐの対合部をネジ釘などの使用で止着させたものとなすのである。図面は折り畳み二帖用のものを示している。
【非特許文献１】極東産業株式会社  カタログ「ニュー畳ライフ」
【考案の開示】
【考案が解決しようとする課題】
【０００３】
上記の如く従来の木枠は置き畳み用として畳帖数に合わせたものを夫々れに用意する必要があり、畳帖数の組合せに応じて多種類のものを作成用意しておく必要がある。ところで、近年では昔の帖寸法に拘らない規格外の寸法のものもあって、これらに対する縁枠の作成は特定品となることから手間が掛かり且つ高価とならざるを得ないものとなっている。
本考案は斯有る問題点を解決せんとするものである。
【課題を解決するための手段】
【０００４】
本考案はボードや合成樹脂或いは木材などを使用し、肉厚寸法１０ｍｍ〜３０ｍｍ、巾寸法３ｃｍ〜５ｃｍ、長さ寸法７０ｃｍ〜１９０ｃｍとなした帯状のストレート部材を作成し、該ストレート部材の１つは長さ方向の底面部中央にガイド溝を穿設したものとなし、これに対し他のストレート部材は片端部に対し凡そ４ｃｍ程度残して上記ガイド溝の穿設されないものとなし、且つ該部の片側面に対し直交する状態に長さ寸法を凡そ１ｃｍ〜１２ｃｍ程度となした上記ガイド溝と嵌合可能ならしめる突設キーを取付けたものとなし、又別途上記ガイド溝に嵌入させる繋ぎキーを作成し、これらストレート部材と繋ぎキーとを適宜組合せ使用して必要な大きさ寸法の置き畳外周を取り囲むための方形枠を形成させるものとする。
このさい、片端部に突設キーを取付けてなるストレート部材の長さ寸法は、少なくとも８０ｃｍ以上となさしめることが好ましい。
【考案の効果】
【０００５】
本考案によれば、一定長さの帯状板体となした底面部の長さ方向へガイド溝を穿設したストレート部材と、片端部の直交する方向へ上記ガイド溝と嵌合係着を可能にする一定長の突設キーを取付け、且つ該部を除く帯状板体の底面部長さ方向へガイド溝を穿設したストレート部材の組合せにより、適宜な帖数の置き畳の外周を簡便迅速且つ適確に取り囲む枠体を組み立てて美観を呈するためのものとなすことができるものである。
具体的には使用者側で好みの帖数やその敷き状態にマッチする如く、自由に各ストレート部材の長さを切断しながらコーナー箇所では１つのストレート部材に於ける突設させたキーを、今１つのストレート部材のガイド溝へ嵌合させて止着させるようになすのであり、而してその他端が長い場合には適宜切断し、或いは不足する場合は他のストレート部材を別途繋ぎキーを使用しながら接合して必要寸法のものが得られるようにするのである。
【０００６】
とりわけ、本考案品によればコーナー箇所を二つのストレート部材を使用して簡便迅速且つ適確に作成することができるのであり、このさい突設キーを取付けたストレート部材は、今１つのストレート部材を作成する同様の作成工程で製造することができる上で優れるのであり、これを別途単独のコーナー部材を個々に作成する場合に対比すると、格段に製作工数が削減でき且つコストの低減化に寄与するものとなる。
【考案を実施するための最良の形態】
【０００７】
図１は本考案の置き畳用縁枠１を示すものであって、１Ａはそのストレート部材の１つである。ここに、ストレート部材１Ａは硬質ボード、合成樹脂や木材から図示の如き帯状の平板体に製造されるのであり、その肉厚寸法ｔは凡そ１０ｍｍ〜９０ｍｍ、巾寸法ｓは凡そ３ｃｍ〜５ｃｍであり、且つ全体の長さ寸法ｋは短いもので凡そ８０ｃｍ、長いもので１９０ｃｍとなされる。而して、該帯状の平板体下面に於ける中央付近には、巾寸法ｅを凡そ１０ｍｍ〜２５ｍｍ、深さ寸法ｆを凡そ５ｍｍ〜１５ｍｍとなしたガイド溝２を穿設してある。
【実施例１】
【０００８】
図２は他の１つのストレート部材１Ｂであって、上記１Ａと同様に硬質ボード、合成樹脂や木材などから製造されるのであり、その帯状平板体となされる大きさ寸法は１Ａのものと同一である。又その平板体下面に於ける中央付近に同一寸法関係のガイド溝２が穿設されることも同様であるが、ただ本部材１Ｂのガイド溝２は図示の通り片端部に於いて凡そ４ｃｍ程度残して穿設されないものとなしてあり、且つ該部Ｇの片側面ｍには直交する状態に長さ寸法を凡そ１ｃｍ〜１２ｃｍ程度となした突設キー３を取付けたものとなしてある。而して、該突設キー３は上記したガイド溝２と嵌合して係着状態となされる形状及び寸法のものに形成されるのである。
【０００９】
図３は繋ぎキー４を示すものであって、これは上記図示の各ストレート部材１Ａ，１Ｂを反転使用して方形枠を形成させるさい、コーナー箇所を除く中間箇所の接合部に於けるガイド溝２に対し、適宜嵌入させて両者の止着が行われるようにするためのものである。
【００１０】
図４は上記したストレート部材を使用して折り畳み二畳の置き畳５の周囲を取り囲んだ縁枠の実施態様平面図である。
【００１１】
図５は同じく上記したストレート部材１Ａ、１Ｂ及び繋ぎキー４を使用して折り畳み三畳の置き畳６の周囲を取り囲んだ縁枠の実施態様平面図である。
【００１２】
本考案品に於いて突設キー３を備えたストレート部材１Ｂは、少なくともその長さ寸法を８０ｃｍ以上のものとすることが好ましく、これは凡そ畳半畳分の最小畳を取り囲む縁枠を対象としたさいの必要条件からである。而して、三畳、四畳半、・・・などの如く大きくなる場合、ストレート部材１Ａ，１Ｂの接合箇所に対しては繋ぎキー４を夫々れのガイド溝間を跨ぐように嵌合させると共に、市販の接着テープなどを使用してこの上面を止着させておくものとなすのである。
【００１３】
本考案に於けるストレート部材１Ａ及び１Ｂは、後者がその片端部箇所に突設キーを取付けたものとなされる点で異なるが、実質的に同一製造工程で作成し、突設キーはその延長作業で取付けることができるのであり、従って従来のコーナー部材を別途に製造したりすることが不要となり、大きくコストの低減化に寄与するものとなる。而して、コーナー箇所ではストレート部材１Ｂの突設キー３をストレート部材１Ａのガイド溝２に嵌入させると共に、その嵌合面を裏面側から接着テープを貼着させるだけの簡単な作業で済むことから、迅速な作業性に優れるものとなるのである。
【００１４】
図６は他の実施例を示すものであって、図中Ａは上記実施例で図２に示したストレート部材１Ｂの突設キー３に対し、柄体ｖを取付けたものであり、同Ｂはこれと接合させるものとなる他のストレート部材１Ａのガイド溝２内へ、上記柄体ｖと係合させる柄穴ｗを穿設したものとなしたものである。本例では上記柄体ｖと柄穴ｗとが相互に嵌合することにより、強固で安定した枠縁が形成される上で著効を奏する。
【図面の簡単な説明】
【００１５】
【図１】本考案に係るストレート部材１Ａを反転させて底面側から見た斜視図である。
【図２】同じくストレート部材１Ｂを反転させて底面側から見た断斜視図である。
【図３】繋ぎキーの斜視図である。
【図４】二畳の置き畳の周囲を取り囲んだ縁枠の実施態様平面図である。
【図５】三畳の置き畳の周囲を取り囲んだ縁枠の実施態様平面図である。
【図６】ストレート部材の他の実施例を示すものである。
【図７】従来品を示すものである。
【符号の説明】
【００１６】
１Ａ      ストレート部材
１Ｂ      ストレート部材
２      ガイド溝
３      突設キー
４      繋ぎキー
ｖ      柄体
【図１】
0003105232.tif 000003
【図２】
0003105232.tif 000004
【図３】
0003105232.tif 000005
【図４】
0003105232.tif 000006
【図５】
0003105232.tif 000007
【図６】
0003105232.tif 000008
【図７】
0003105232.tif 000009
【手続補正書】
【提出日】平成16年6月21日(2004.6.21)
【手続補正１】
【補正対象書類名】実用新案登録請求の範囲
【補正対象項目名】請求項１
【補正方法】変更
【補正の内容】
【請求項１】
ボードや合成樹脂或いは木材などを使用し、肉厚寸法１０ｍｍ〜３０ｍｍ、巾寸法３ｃｍ〜５ｃｍ、長さ寸法７０ｃｍ〜１９０ｃｍとなした帯状のストレート部材を作成し、該ストレート部材の１つは長さ方向の底面部中央にガイド溝を穿設したものとなし、これに対し他のストレート部材は片端部に対し凡そ４ｃｍ程度残して上記ガイド溝の穿設されないものとなし、且つ該部の片側面に対し直交する状態に長さ寸法を凡そ１ｃｍ〜１２ｃｍ程度となした上記ガイド溝と嵌合可能ならしめる突設キーを取付けたものとなし、又別途上記ガイド溝に嵌入させる繋ぎキーを作成し、これらストレート部材との組合せからなる置き畳用縁枠。